(57)【要約】【課題】  外部からの摩擦によってスポンジ部材を外れにくく装着すること、かつ、容易に取付けることが可能なスポンジ部材の保持手段を備え、洗浄具を傾斜させることなく容器の底及び底縁にスポンジ部材を適切に押圧してしっかりと均等にスポンジ部材を容器の底全体に擦りつけることができる容器底洗浄具を提供する。【解決手段】  柄部と、該柄部の先端から二股に延出されたアーム部と、該アーム部に着脱自在に装着し得る貫通孔を備えたスポンジ部材と、からなる容器底洗浄具であって、前記アーム部は、波状に形成され、容器底洗浄具の長手方向の中心軸より外側方向に拡開され、容器の底形状に沿って変形可能であることを特徴とするものである。【選択図】図１
2017196102.tif 000002
【特許請求の範囲】
【請求項１】
柄部と、該柄部の先端から二股に延出されたアーム部と、該アーム部に着脱自在に装着し得る貫通孔を備えたスポンジ部材と、からなる容器底洗浄具であって、前記アーム部は、波状に形成され、容器底洗浄具の長手方向の中心軸より外側方向に拡開され、容器の底形状に沿って変形可能であることを特徴とする容器底洗浄具。
【請求項２】
先端部は、丸みを帯びた形状を有することを特徴とする請求項１記載の容器底洗浄具。
【請求項３】
柄部とアーム部との間が中間取付部になっており、前記中間取付部に第二スポンジ部材を装着することを特徴とする請求項１記載の容器底洗浄具。
【請求項４】
柄部と中間取付部との間に第二スポンジ部材を押える押え部を設けることを特徴とする請求項３記載の容器底洗浄具。 
【発明の詳細な説明】
【技術分野】
【０００１】
本発明は、容器の底を洗浄するための洗浄具に関する。
【背景技術】
【０００２】
従来、コップや水筒などの開口部が狭く底の深い容器は、底まで手が届かないため、容器の底をスポンジ部材で洗浄することが難しかった。
【０００３】
そのため、特許文献１―５に記載された発明において、スポンジ部材を挟持又は押圧して保持するための一定の強度を有するアーム部と、柄部と、からなり、スポンジ部材をアーム部によって挟持または押圧して保持することを特徴とする洗浄具が提案されている。
【先行技術文献】
【特許文献】
【０００４】
【特許文献１】実開昭４９−１０７８５５号公報
【特許文献２】実開昭６２−８３３６７号公報
【特許文献３】特開２０００１−１６９９９５号公報
【特許文献４】特開２０００１−２８６４３０号公報
【特許文献５】特開２０００６−２４７４０９号公報
【発明の概要】
【発明が解決しようとする課題】
【０００５】
しかしながら、図４に示すように、従来の洗浄具１００を用いて、開口部２１の狭い、底２２の大きい容器２０の底縁２４を洗浄する場合、洗浄具１００を傾斜させ、かつ、開口部２１に沿って柄部１０１を回転させながらスポンジ部材１０３を底縁２４に擦りつける必要があるため、底２２全体を効率よく洗浄することができない欠点がある。
【０００６】
また、従来の洗浄具１００のアーム部１０２にスポンジ部材１０３を押圧または挟持させたものであるから、スポンジ部材１０３を容器２０内から引き抜くときにスポンジ部材１０３と容器２０内との摩擦によって、スポンジ部材１０３が外れる恐れがある。
【０００７】
したがって、外部からの摩擦によってスポンジ部材を外れにくく装着すること、かつ、容易に取付けることが可能なスポンジ部材の保持手段を備え、洗浄具を傾斜させることなく容器の底及び底縁にスポンジ部材を適切に押圧してしっかりと均等にスポンジ部材を容器の底全体に擦りつけることができる容器底洗浄具を提供することを目的とする。
【課題を解決するための手段】
【０００８】
本発明の容器底洗浄具は、上記課題に鑑み、柄部と、該柄部の先端から二股に延出されたアーム部と、該アーム部に着脱自在に装着し得る貫通孔を備えたスポンジ部材と、からなる容器底洗浄具であって、前記アーム部は、波状に形成され、容器底洗浄具の長手方向の中心軸より外側方向に拡開され、容器の底形状に沿って変形可能であること、を特徴とするものである。
【０００９】
また、上述した構成に加え、先端部は、丸みを帯びた形状を有することが好ましい。
【００１０】
また、上述した構成に加え、柄部とアーム部との間が中間取付部になっており、前記中間取付部に第二スポンジ部材を装着することが好ましい。  
【００１１】
また、上述した構成に加え、柄部と中間取付部との間に第二スポンジ部材を押える押え部を設けることが好ましい。
【発明の効果】
【００１２】
請求項１記載の発明によれば、容器底洗浄具を、容器の開口部から容器底に対して垂直に挿入して、容器底にアーム部の拡開された先端部が接触して底縁の方向に摺接し、その動作に伴って波状を構成するアーム部の複数の折曲点間が拡大又は縮小することで、アーム部が容器の底に沿って変形することができ、容器底洗浄具を容器の底に対して垂直に挿入した状態で底縁を含む底全体にスポンジ部材を均等に接触させることが可能である。したがって、容器底洗浄具を、容器底洗浄具の長手方向の中心軸で回転させることで容器底全体を均等に擦って洗浄することが可能である。
【００１３】
さらに、貫通孔を備えたスポンジ部材に波状のアーム部を挿入して装着させることで、スポンジ部材の貫通孔を波状のアーム部の複数の折曲点で押圧させることができ、外れにくくすることが可能である。
【００１４】
請求項２記載の発明によれば、丸みを帯びた先端部を有することで、容器の底縁に先端部が接した状態から、さらに、容器底洗浄具を、図３に示すように、底方向に押圧することで、容器の内側面に沿って摺接して、アーム部を容器の内側面にせり上がらせることができ、容器の底全体と底に近い内側面とを同時にスポンジ部材で擦り付けて洗浄することが可能である。
【００１５】
請求項３記載の発明によれば、アーム部により容器の底を洗浄すると同時に、中間取付部に装着した第二スポンジ部材によって、容器の開口部周辺の内側面を洗浄することができるとともに、容器内から第二スポンジ部材を引き抜く際に、第二スポンジ部材と容器内との摩擦によって、第二スポンジ部材が容器内に外れ落ちることを防止することが可能である。
【００１６】
請求項４記載の発明によれば、アーム部が容器の底に沿って変形したとき生じるスポンジ部材のたわみによるスポンジ部材と第二スポンジ部材の装着した位置からのズレを防止することが可能である。
【図面の簡単な説明】
【００１７】
【図１】本発明の実施形態に係る容器底洗浄具の一例を示す正面縦断面図である。
【図２】図１の容器底洗浄具の第一使用状態を示す正面縦断面図である。
【図３】図１の容器底洗浄具の第二使用状態を示す正面縦断面図である。
【図４】従来の実施例を示す正面図である。
【発明を実施するための形態】
【００１８】
本発明の実施形態について図面に基づいて詳細に説明する。
【００１９】
容器底洗浄具１０は、図１に示すように、柄部１１と、柄部１１の先端から二股に延出されたアーム部１２、１２と、アーム部１２、１２に着脱自在に装着されたスポンジ部材１３、１３と、を主要部として構成されるものである。
【００２０】
柄部１１は、片手で把持でき得る程度の大きさの略円柱状で、その先端から柄部１１の長手方向に延出された二股のアーム部１２、１２を有している。さらに、柄部１１とアーム部１２、１２との間が第二スポンジ部材１５を取付ける中間取付部１８としても良く、柄部１１とこの中間取付部１８との間に第二スポンジ部材１５を押えるための突起状の押え部１６を設けてもよい。
【００２１】
アーム部１２、１２は、弾性を有する素材からなる細長い棒体を左右に折り曲げた波状（例えば、ジグザグ状）であり、複数の折曲点を備え、この先端には、柄部１１の長手方向の中心軸Aから外側方向に拡開された先端部１４、１４と、を有するものである。この先端部１４、１４は、容器底洗浄具１０を容器２０の開口部２１に挿入した状態において、底縁２４方向にアーム部１２、１２を摺接させ得るように拡開させるものである。さらに、この先端部１４、１４は、アーム部１２、１２の幅よりも若干大きい形状であるとともに、丸みを帯びた形状を有するものとするとよい。    
【００２２】
スポンジ部材１３、１３は、アーム部１２、１２の幅程度の貫通孔１７を設けることで、アーム部１２、１２を貫通孔１７に挿入し、アーム部１２、１２の折曲点が貫通孔１７との内面を押圧して装着し得るものである。
【００２３】
次に、上述した構成からなる容器底洗浄具１０を用いて、容器２０の底２２を洗浄する使用方法について図２及び図３に基づいて詳細に説明する。
【００２４】
（S1）はじめに、アーム部１２、１２をスポンジ部材１３、１３の貫通孔１７に挿入した後、アーム部１２、１２の波状を構成する複数の折曲点が、貫通孔１７を押圧することでスポンジ部材１３、１３をアーム部１２、１２に装着する。この装着したスポンジ部材１３、１３には、適度な液体洗剤及び水分を含ませておく。
【００２５】
（S2）次に、アーム部１２、１２の先端部１４、１４を中心軸A側にすぼめて、容器２０の開口部２１に差し込み、容器２０内において、アーム部１２、１２の復元力によってアーム部１２、１２の先端部１４、１４が再び底縁２４方向に拡開される。
【００２６】
（S3）次に、図２に示すように、容器底洗浄具１０を容器２０の底２２に対して垂直に挿入していくことで、スポンジ部材１３、１３が底２２に摺接しながらアーム部１２、１２はさらに拡開されて容器２０の底縁２４に接触し、さらに、適度な力でアーム部１２、１２を底２２に押圧させることで、アーム部１２、１２の先端部１４、１４が底縁２４に接触した状態で、アーム部１２、１２が略L字状に変形し、アーム部１２、１２に装着されたスポンジ部材１３、１３が底２２の底縁２４と接触した状態にすることができる。
【００２７】
また、図３に示すように、容器２０の底２２が開口部から底２２までの深さが深くなく、かつ、底２２の径が大きくない場合、アーム部１２、１２が底縁２４に接触した状態から、より押圧することで丸みを帯びた先端部１４、１４が底縁２４付近の面と摺接して、底２２に近い内側面２３方向にせり上がらせることで、アーム部１２、１２を略U字状に変形させ、スポンジ部材１３、１３が底縁２４上方の内側面２３から底縁２４、底２２と接触した状態にすることができる。
【００２８】
（S4）次に、柄部１１の長手方向の中心軸回りに容器底洗浄具１０を片手で回転させることによって、底２２、底縁２４、及び、底縁２４上方の内側面をスポンジ部材１３、１３で擦りつけることで洗浄することができる。    
【００２９】
したがって、上述した容器底洗浄具１０の構成及び使用方法から、容器底洗浄具１０は、拡開された波状のアーム部１２、１２の複数の折曲点によって、スポンジ部材１３、１３の貫通孔１７を押圧させることで着脱自在に装着できるとともに、複数の折曲点間の空隙の拡大及び縮小によって、アーム部１２、１２を容器２０の底形状に沿って変形可能であり、底２２、底縁２４、底縁２４上方の内側面２３まで均等に接触させることが可能である。それに伴い、柄部１１の長手方向の中心軸A回りに容器底洗浄具１０を回転させることで、容器底洗浄具１０の移動を最小限に抑えて効率よく洗浄することが可能である。
【００３０】
また、アーム部１２、１２の先端部１４、１４の丸みを帯びた形状によって、底縁２４に接触した状態の先端部１４、１４を容器２０の内側面２３に沿ってせり上がりやすくすることができ、底２２、底縁２４、及び底縁２４上方の内側面２３に接触させることができるので、底２２周辺を洗浄することが可能である。
【００３１】
また、予め、柄部１１とアーム部１２、１２との間の中間取付部１８に第二スポンジ部材１５を装着することで、容器２０の開口部２１周辺の内側面２３に第二スポンジ部材１５を接触させることができ、容器２０の底２２を洗浄すると同時に開口部２１周辺の内側面２３を洗浄することができるとともに、第二スポンジ部材１５を容器２０内から引き抜く際に、拡開されたアーム部１２、１２に装着されたスポンジ部材１３、１３が、第二スポンジ部材１５の押えとなり、第二スポンジ部材１５と容器２０の内側面２３との摩擦によって第二スポンジ部材１５が容器２０内に外れ落ちることを防止することが可能である。
【００３２】
また、柄部１１と中間取付部１８との間に第二スポンジ部材１５を押える押え部１６を設けることで、アーム部１２、１２が容器２０の底２２に沿って変形したときに生じるスポンジ部材１３、１３のたわみによるスポンジ部材１３、１３及び第二スポンジ部材１５の装着位置からのズレを防止することが可能である。
【符号の説明】
【００３３】
１０…容器底洗浄具、１１…柄部、１２…アーム部、１３…スポンジ部材、１４…先端部、１５…第二スポンジ部材、１６…押え部、１７…貫通孔、１８…中間取付部、２０…容器、２１…開口部、２２…底、２３…内側面、２４…底縁、１００…洗浄具、１０１…柄部、１０２…アーム部、１０３…スポンジ部材、A…中心軸
【図１】
2017196102.tif 000003
【図２】
2017196102.tif 000004
【図３】
2017196102.tif 000005
【図４】
2017196102.tif 000006